(57)【要約】【課題】リュックサック等の多種多様の背負いバック本体の背中側部分に容易に着脱可能な汗取りパッドを提供する。【解決手段】汗取りパッド本体１５の右上部、左上部、中央上部、右下部、左下部それぞれに取り付けられたバックル付き右上固定紐１、バックル付き左上固定紐３、ループ形状の中央固定紐２、面ファスナー付き右下固定紐５、面ファスナー付き左下固定紐６とを備え、汗取りパッド本体１５の裏面に面ファスナー８を設け、右上固定紐１を汗取りパッド本体１５の右ストラップ１１を囲んでループ形状の中央固定紐２を貫通させ、左ストラップ１２を囲んで左上固定紐３とバックルで結合させるとともに、右下固定紐５及び左下固定紐６を背負いバック１６の左右のストラップ１１、１２それぞれを囲んで、汗取りパッド本体１５の面ファスナー８と結合することにより背負いバック１６に取り付ける。【選択図】図４
2015144734.tif 000002
【特許請求の範囲】
【請求項１】
左右のストラップを肩にかけて背負う背負いバックの背面と使用者の背中の間に取り付けて使用する着脱可能な汗取りパッドであって、汗取りパッド本体の右上部、左上部、中央上部、右下部、左下部それぞれに取り付けられたバックル付き右上固定紐、バックル付き左上固定紐、ループ形状の中央固定紐、面ファスナー付き右下固定紐、面ファスナー付き左下固定紐とを備え、汗取りパッド本体の裏面に面ファスナーを設け、右上固定紐を汗取りパッド本体の右ストラップを囲んでループ形状の中央固定紐を貫通させ、左ストラップを囲んで左上固定紐とバックルで結合させるとともに、右下固定紐及び左下固定紐を背負いバックの左右のストラップそれぞれを囲んで、汗取りパッド本体の面ファスナーと結合することにより背負いバックに取り付けた背負いバック用汗取りパッド。
【請求項２】
汗取りパッド本体の表面がメッシュ部材で構成され、裏面が除湿マットで構成された請求項１に記載の汗取りパッド。
【請求項３】
除湿マットは、吸着剤と繊維素材を含む請求項１または請求項２に記載の汗取りパッド。
【発明の詳細な説明】
【技術分野】
【０００１】
本発明は、リュックサック等の多種多様の背負いバック本体の背中側部分に容易に着脱可能な汗取りパッドに関するものである。
【背景技術】
【０００２】
従来の背負いバック本体は、本体と背負い側のパッド部分が一体化されており、汗ジミやニオイなどで不衛生な状態のパッドを容易に取り外して洗濯できるものが見当たらない。
【０００３】
この改善策として、リュックサック本体の背負い側パッド部分が取り外せる分割型リュックサックがある（例えば、特許文献１参照）。しかし、この方法ではリュックサック本体に固定するビスやフックを必要としており、取り付けが容易ではなく、他の背負いバック本体に使用することは困難であるという欠点があった。
【０００４】
汗取りセパレーターを背負いバック本体の背負い側に取り付けるものは存在している（例えば、特許文献２参照）。しかし、その汗取りセパレーターは発汗を軽減するために通気性を追求するものであり、汗ジミやニオイなどの汚れが背負いバック本体の背負い側へ付着するのを防ぐことができないという欠点があり、取付手段は汗取りセパレーター本体に数箇所の取付孔があり、そこに紐をとおして背負いバック本体に縛り付けるという容易ではない手段であった。
【先行技術文献】
【特許文献】
【０００５】
【特許文献１】特開２０１３−２２０９４号公報
【特許文献２】特開平１１−８９６３５号公報
【発明の概要】
【発明が解決しようとする課題】
【０００６】
昨今の背負いバックの使用は老若男女問わず、通勤や通学、スポーツや旅行など様々な場面で使用され、その形状や大きさなど多種多様の背負いバックが存在している。その背負いバックの背負い面部分は、汗ジミや汚れなどが溜まりやすく不衛生な状態である。特に夏季においてはニオイが気になることもしばしばである。このように、従来の背負いバックは、汗ジミやニオイなどの汚れが背負い面部分に付着することを防ぐことができない。
【課題を解決するための手段】
【０００７】
本発明の汗取りパッドは、左右のストラップを肩にかけて背負う背負いバックの背面と使用者の背中の間に取り付けて使用する着脱可能な汗取りパッドであって、汗取りパッド本体の右上部、左上部、中央上部、右下部、左下部それぞれに取り付けられたバックル付き右上固定紐、バックル付き左上固定紐、ループ形状の中央固定紐、面ファスナー付き右下固定紐、面ファスナー付き左下固定紐とを備え、汗取りパッド本体の裏面に面ファスナーが設け、右上固定紐を背負いバックの右ストラップの上方を通し、ループ形状の中央固定紐を貫通させて左ストラップの上方を通して左上固定紐とバックルで結合させるとともに、右下固定紐及び左下固定紐を背負いバックの左右のストラップそれぞれの下方に通し、汗取りパッド本体の面ファスナーと結合することにより背負いバックに取り付けることを特徴とする。
これにより、サイドリリースタイプのバックルが付いた紐装着及び面ファスナーと面ファスナーの付いた紐による構成のみで多種多様な背負いバックに着脱可能とするものであり、本発明の汗取りパッドは洗濯も可能である。すなわち、着脱が容易で、洗濯も容易となる。
また、本発明の汗取りパッドは、汗取りパッド本体の表面がメッシュ部材で構成され、裏面が除湿マットで構成されてもよい。これにより、汗取りパッド本体は、通気性に優れたメッシュ部材と汗やニオイを吸収する除湿マットと面ファスナーで構成しており、接触部である使用者の背中と背負いバックの背負い面で発生する発汗やニオイを軽減し、背負いバックへの汗ジミや汚れなどの汚れ移りを防止する。
【０００８】
上記の取付手段は、サイドリリースタイプのバックルが付いた紐装着及び面ファスナーと面ファスナーの付いた紐による構成のみで多種多様な背負いバックに着脱可能とするものであり、本発明の汗取りパッドは洗濯も可能である。すなわち、着脱が容易で、洗濯も容易となる。
【発明の効果】
【０００９】
本発明によれば、多種多様の背負いバックに着脱可能で容易に取付ができることから老若男女問わず、様々な場面や用途の背負いバックに使用することができる。且つ、汗取りパッド本体は、通気性に優れたメッシュ部材と汗やニオイを吸収する除湿マットと面ファスナーで構成しており、接触部である使用者の背中と背負いバックの背負い面で発生する発汗やニオイを軽減し、背負いバックへの汗ジミや汚れなどの汚れ移りを防止する。その取付手段はバックルと面ファスナーによる構成で様々なタイプの背負いバックに容易に着脱可能とするものであり、且つ本発明の汗取りパッドは洗濯も可能である。
【図面の簡単な説明】
【００１０】
【図１】本発明の汗取りパッドの表面を示した図である。
【図２】本発明の汗取りパッドの裏面を示した図である。
【図３】図１のA-A断面を示した図である。
【図４】本発明の汗取りパッドをリュックサックに取り付けている状態を示した図である。
【図５】本発明の汗取りパッドをリュックサックに取り付けた状態を示した図である。
【発明を実施するための形態】
【００１１】
本発明の一つの実施の形態を図面に基づいて説明をする。図１は、本発明の汗取りパッド全体の表面を示す図であり、図２は、本発明の汗取りパッド全体の裏面を示す図である。図３は、図１のＡ―Ａ断面図である。図４は、本発明の汗取りパッドをリュックサックに取り付けている状態を示した図である。図５は、本発明の汗取りパッドをリュックサックに取り付けた状態を示した図である。
【００１２】
図中、本発明に係る汗取りパッド１４は、リュックサック、ナップザック等の背負いバック１６の背負い面１３に装着されて用いられる。
【００１３】
汗取りパッド本体１５を背負いバック１６の背負い面１３に自在に着脱可能とする構成として、背負い面１３上部に位置する汗取りパッド本体１５上部の両側にバックル付き右上固定紐1とバックル付き左上固定紐３、中央にループ形状の中央固定紐２を設けている。バックル付き右上固定紐1は汗取りパッド本体１５と背負いバック１６の右ストラップ１１を囲んでループ形状の中央固定紐２を貫通し、次に左ストラップ１２を囲んでバックル付き左上固定紐３に装着する。バックル付き右上固定紐1は取付手段であるバックルでサイドリリース部１７を有するものを用いておけば、その紐の長さが調整でき、背負いバック１６の両肩ストラップ１１、１２の太さや位置など様々な種類のものにでも容易に対応ができる。
【００１４】
また、バックル付き右上固定紐1をループ形状の中央固定紐２に通すことで汗取りパッド１４が背負いバック１６に対して上下左右にズレることを防ぎ、バックル付き右上固定紐1をバックル付き左上固定紐３に差し込むだけで汗取りパッド１４を背負いバック１６に簡単に装着できる。加えて、汗取りパッド本体１５を背負いバック１６の背負い面１３下部に固定する目的で汗取りパッド本体１５の左右下部より面ファスナー付き右下固定紐５と面ファスナー付き左下固定紐６を設けている。面ファスナー付き右下固定紐５は右ストラップ１１を囲んで汗取りパッド本体１５の裏面に有している面ファスナー８に面ファスナーＡ１８部を貼り付ける。同様に、面ファスナー付き左下固定紐６は左ストラップ１２を囲んで汗取りパッド本体１５の裏面に有している面ファスナー８に面ファスナーＢ１９を貼り付ける。面ファスナーＡ１８及び面ファスナーＢ１９は、面ファスナー８のあらゆる箇所に貼れて固定できるので両肩ストラップ１１、１２の太さや位置、背負いバック１６の大きさなど多種多様の背負いバックに取り付けられる。
【００１５】
図１に示すように、汗取りパッド本体１５は、背中との接触面である表面には通気性に優れたメッシュ部材４を設けている。また、図２に示すように、背負いバック１６の背負い面１３側の裏面には吸着剤としてのシリカゲル９と繊維素材としてのポリエステル１０で構成された除湿マット７を備え、除湿マット７の下方部には面ファスナー8を有した構造となっている。なお、除湿マットは乾燥剤や消臭機能を兼ね備えた繊維を用いてもよい。
【００１６】
上記の構成により、汗取りパッド１４を背負いバック１６の背負い面１３上部に設けられたバックル付き右上固定紐1とバックル付き左上固定紐３と、中央に設けられたループ形状の中央固定紐２とを用いて両肩ストラップ１１、１２の上部に取り付ける。また、背負いバック１６の背負い面１３下部に設けられた面ファスナー８と面ファスナー付き右下固定紐５及び面ファスナー付き左下固定紐６とを用いて両肩ストラップ１１、１２の下部に取り付ける。このようにすれば、様々な用途において背負いバック１６を使用する際に使用者の背中と背負いバック１６の背負い面１３で発生する発汗やニオイを軽減し、背負いバック１６への汗ジミや汚れなどの汚れ移りを防止することができる。
【００１７】
また、発汗やニオイを吸収した汗取りパッド１４は洗濯が可能であるため、不衛生な状態で背負い続けるのではなく、常に快適な状態で背負うことができる。なお、面ファスナーは汗取りパッド本体１５の裏面に鉤状の面ファスナーではなく、パイル状の面ファスナーを設け、面ファスナーＡ１８及び面ファスナーＢ１９鉤状の面ファスナーを設けることで、背負いバック１６の背負い面１３側のメッシュ部材を傷めることなく着脱を行うことができる。
【産業上の利用可能性】
【００１８】
本発明の汗取りパッドは、ルックサック、ザック、ナップサック、バックパック、デイパックなどの様々な種類の背負いバッグに使用可能である。
【符号の説明】
【００１９】
１    バックル付き右上固定紐
２    ループ形状の中央固定紐
３    バックル付き左上固定紐
４    メッシュ部材
５    面ファスナー付き右下固定紐
６    面ファスナー付き左下固定紐
７    除湿マット
８    面ファスナー
９    シリカゲル（吸着剤）
１０  ポリエステル（繊維素材）
１１  右ストラップ
１２  左ストラップ
１３  背負いバック背負い面
１４  汗取りパッド
１５  汗取りパッド本体
１６  背負いバック
１７  サイドリリース部
１８  面ファスナーＡ
１９  面ファスナーＢ
【図１】
2015144734.tif 000003
【図２】
2015144734.tif 000004
【図３】
2015144734.tif 000005
【図４】
2015144734.tif 000006
【図５】
2015144734.tif 000007